(57)【要約】【課題】冊子の表又は裏である第１板材の縁から突出する回転板の先部に作業用プレートを取り付け、作業効率を高めた冊子提供する。【解決手段】冊子の表側又は裏側の一方に設けられ、第１の方向Ｏ１の両側にこの第1の方向と直交する第２の方向Ｏ２に延びる基端部２ａ及び先端部２ｂを有する第１板材２と、この第１板材の基端部２ａに対して第１板材の上に積層可能に連結された、メモ用紙などとして用いる複数のシート４と、上記第１板材２の先端部２ｂから第１の方向Ｏ１外側へ突出するとともに、突出方向とは反対側へ折り返し可能に形成したフラップ状の回転板１０と、上記回転板の先端部に、この先端部に沿って第２の方向に延びる主回転軸Ａの回りで回動自在に、裏面の第１の方向の中間部を連続させた作業用プレート１６とを具備する。【選択図】図４
2011255590.tif 000002
【特許請求の範囲】
【請求項１】
第１の方向(Ｏ１)の両側に基端部(２ａ)及び先端部(２ｂ)を有する第１板材(２)と、
上記基端部(２ａ)に第１板材の上へ積層可能に連結された複数の作業用シート(４)と、
上記第１板材(２)の先端部(２ｂ)から第１の方向(Ｏ１)外側へ、反対側への折返し可能に突出したフラップ状の回転板(１０)と、
回転板の先部に、裏面(１８Ｒ)の第１の方向の中間部を連続させた作業用プレート(１６)と、
を具備し、
作業用プレート(１６)及び回転板(１０)の先部の間の主回転軸(Ａ)と、回転板(１０)の折返し線である第１の補助回転軸(Ｂ１)とは、第１の方向(Ｏ１)と直交する第２の方向(Ｏ２)へ延びており、
上記回転板(１０)を展開方向或いは折返し方向へ回動するときに、回転板に対する作業用プレートの回転により、この作業用プレート(１６)の表面(１８Ｆ)を上方へ向けた状態を保持可能に形成したことを特徴とする、作業用プレート付き冊子。
【請求項２】
上記回転板(１０)は、第１の方向の一方端部に主回転軸(Ａ)を、また他方端部に上記第１の補助回転軸(Ｂ１)をそれぞれ有するメインプレート(１２)を含み、その第１の補助回転軸(Ｂ１)を中心としてメインプレート(１２)が第１板材の上面側へ屈折することが可能に形成し、
作業用プレート(１６)は、その表面(１８Ｆ)を上に向けた状態で、第１板材(２)の先端部(２ｂ)に近い第１端部(１６ａ)及び第１板材の先端部から遠い第２端部(１６ｂ)を有し、
主回転軸(Ａから作業用プレートの第１端部(１６ａ)までの距離をａ１、主回転軸(Ａ)から作業用プレートの第２端部(１６ｂ)までの距離をａ２とし、また第１の方向のメインプレートの巾をｄｍ、第１の方向の第１板材２の巾をＤとするとき、Ｄ≧ａ１＋ｄｍとなるようにしたことを特徴とする、請求項１記載の作業用プレート付き冊子。
【請求項３】
上記作業用プレート(１６)は、ｄｍ≧ａ１という条件を満たすように形成され、かつ
上記第１板材(２)は透明であることを特徴とする、請求項２記載の作業用プレート付き冊子。
【請求項４】
上記第１板材(２)の基端部(２ａ)に第２板材(６)の基端部(６ａ)を取り付けたことを特徴とする、請求項１から請求項３のいずれかに記載の作業用プレート付き冊子。
【請求項５】
上記回転板(１０)は、第１板材(２)の先端部から突出する代りに、第1板材(２)の先端部(２ｂ)及び第２板材(６)の先端部(６ｂ)の先端部に形成した挿入口(２２ａ)付きの取付孔(２２)に対して、回転板の基部に付設した取付け具(２４)を介して着脱自在に形成したことを特徴とする、請求項４記載の作業用プレート付き冊子。
【請求項６】
複数の同一形状の作業用シート(４)の積層体の第１の方向(Ｏ１)の一方端部に複数の穿孔を穿設して、これら穿孔を挿通する留め具(８Ａ)を設けた冊子において、
任意の２枚の作業用シートの間で留め具(８Ａ)に対して着脱自在な回転板(１０)を設けるとともに、回転板の先部に作業用プレート(１６)の裏面(１８Ｒ)を回動自在に連結して、
上記回転板(１０)を第１の方向へ回転させるときに、上記作業用プレート(１６)は、上記主回転軸Ａの回りを回動して作業用プレート(１６)を上方へ向けた状態を保持可能に形成したことを特徴とする、作業用プレート付き冊子。
【発明の詳細な説明】
【技術分野】
【０００１】
本発明は、作業用プレート付き冊子、特に冊子の第１板材の縁から延出したフラップ状の回転板の先部に作業用プレートを付設した冊子に関する。
【背景技術】
【０００２】
手帳・ノートなどの冊子には、その表紙や各頁の縁からフラップと呼ばれる突片を延出して様々な用途に使用することが行われている。
【０００３】
例えばノートの裏表紙の外側端及び上下両端から折り目線を介して３つのフラップを突出し、これらフラップを、所定の頁と次の頁との間に差し込むことで、資料を分類できるようにしたものが知られている（特許文献１）。
【０００４】
またノート類の各ノート用紙の側部から折り目線を介して延出したフラップを、当該ノート用紙の延長部として、メモなどを書き込むことができるようにしたものが知られている（特許文献２）。
【先行技術文献】
【特許文献】
【０００５】
【特許文献１】特表２００７−５２９３４２
【特許文献２】特開２００２−１５４２８５
【発明の概要】
【発明が解決しようとする課題】
【０００６】
従来のノート類・冊子は、見開きのページ同士はその内容が一目で視野に入り、使い易いが、それ以外のページとの連絡は悪く、全体としての作業効率は良くない。
【０００７】
例えば手帳の見開きの２ページを月間（又は週間）スケジュール表として用いることは、よく行われるが、その表に書き込んだ予定を消化できずに、それ以降のスケジュール表に繰り越すときには、繰り越し事案ごとに、その事案の内容を見てページを繰って次のスケジュール表に書き移すことが必要となり、面倒である。
【０００８】
特許文献１のノートは、フラップをしおりとして資料を分類するものであり、分類により使い勝手が良くなることがあっても、各ページの作業性は変わらない。また特許文献２のノート類は、一目で視野に入る見開きの範囲を延長するというアイディアであり、一つの見開き範囲と他の見開き範囲との間の連絡性には寄与しない。
【０００９】
本発明の第１の目的は、冊子の表又は裏である第１板材の縁から突出する回転板の先部に作業用プレートを取り付け、冊子の各ページを用いた仕事と同種又は関連する作業を、上記作業用プレートを用いて行うことができる冊子を提供することである。
【００１０】
本発明の第２の目的は、上記冊子であって、回転板の先部を作業用プレートの裏面の巾方向中間部に回動自在に取り付けることで隣り同士のページに何れに対しても作業用プレートを隣接させることができるものを提案することである。
【００１１】
本発明の第３の目的は、上記冊子であって、その冊子の第１板材及び第２板材の先部のいずれに対しても、作業用プレートと連続した回転板を着脱自在にして、使用状態の自由度を大としたものを提供することである。
【００１２】
本発明の第４の手段は、作業用シートの端部を束ねる留め具に対して、任意のページの間に着脱自在に差し込むことができる回転板を設け、この回転板の先部に作業用プレートを付設した使い勝手のよい作業用プレート付き冊子を提供することである。
【課題を解決するための手段】
【００１３】
第１の手段は、作業用プレート付き冊子であり、
第１の方向Ｏ１の両側に基端部２ａ及び先端部２ｂを有する第１板材２と、
上記基端部２ａに第１板材の上へ積層可能に連結された複数の作業用シート４と、
上記第１板材２の先端部２ｂから第１の方向Ｏ１外側へ、反対側への折返し可能に突出したフラップ状の回転板１０と、
回転板の先部に、裏面１８Ｒの第１の方向の中間部を連続させた作業用プレート１６と、
を具備し、
作業用プレート１６及び回転板１０の先部の間の主回転軸Ａと、回転板１０の折返し線である第１の補助回転軸Ｂ１とは、第１の方向Ｏ１と直交する第２の方向Ｏ２へ延びており、上記回転板１０を展開方向或いは折返し方向へ回動するときに、回転板に対する作業用プレートの回転により、この作業用プレート１６の表面１８Ｆを上方へ向けた状態を保持可能に形成している。
【００１４】
本手段では、展開図である図３に示す如く、冊子の第１板材２の先端部から回転板１０を折返し可能に突出し、この回転板の先部を作業用プレート１６の巾方向中間部に回動自在に連結した構造を提案している。この構成により、上記図３の展開状態では見開きの２枚の作業用シートの一方に、図５に示す折返し状態では２枚の作業用シートの他方にそれぞれ作業用プレートを隣接させ、効率的に作業をすることができる。
【００１５】
「冊子」とは、手帳・ノートブック・書籍などであり、特に作業用プレートと関係して使用できるものが好適である。例えばスケジュール手帳では、用事を全て付箋に書き出して作業用プレートに仮止めし、次に作業用シート側のスケジュール表に移してスケジュールを立てるとよい。また学習ノートや問題集では、学習の要点（公式集や英単語の訳など）を作業用プレートに書いておくことができる。「作業用プレート」は、しおりとして作業用シートの間に挟むことができ、かつ作業面として利用できれば如何なる構造でもよい。第１板材から回転板を突出するとは、折り目線や肉薄ヒンジを介して一体的に突出すること、及び、取付手段を介して別体として突出することを含む。
【００１６】
第２の手段は、第１の手段を有し、かつ
上記回転板１０は、第１の方向の一方端部に主回転軸Ａを、また他方端部に上記第１の補助回転軸Ｂ１をそれぞれ有するメインプレート１２を含み、その第１の補助回転軸Ｂ１を中心としてメインプレート１２が第１板材の上面側へ屈折することが可能に形成し、
作業用プレート１６は、その表面１８Ｆを上に向けた状態で、第１板材２の先端部２ｂに近い第１端部１６ａ及び第１板材の先端部から遠い第２端部１６ｂを有し、
主回転軸Ａから作業用プレートの第１端部１６ａまでの距離をａ１、主回転軸Ａから作業用プレートの第２端部１６ｂまでの距離をａ２とし、また第１の方向のメインプレートの巾をｄｍ、第１の方向の第１板材２の巾をＤとするとき、Ｄ≧ａ１＋ｄｍとなるようにしている。
【００１７】
本手段では、回転板のメインプレート及び作業用プレートが機能するための形態的条件を提案している。図７及び図８に示すように、作業用プレート１６は、少なくとも主回転軸Ａ及び第１の補助回転軸Ｂ１の回りの回動動作の組み合わせにより、作業用プレートの表面１８Ｆを上方に向けたまま、或いは表面を下方に反転するとともに回転板を折り返すことができる。この折返し状態では、図７（Ｃ）の如く回転板のメインプレートの巾ｄｍと、主回転軸Ａから作業用プレートの第１端部１６ａまでの距離ａ１との和が、第１基材の巾Ｄを超えないようにする。これについて後述する。
【００１８】
第３の手段は、第２の手段を有し、かつ
上記作業用プレート１６は、ｄｍ≧ａ１という条件を満たすように形成され、かつ
上記第１板材２は透明である。
【００１９】
本手段では、図８（Ｃ）に示すように作業用プレートの表面を下方へ反転させて回転板を折り返すときの条件を提示している。
【００２０】
第４の手段は、第１の手段から第３の手段のいずれかを有し、かつ
上記第１板材２の基端部２ａに第２板材６の基端部６ａを取り付けている。
【００２１】
本手段では、図１に示すように第１板材２に連結した第２板材６を設けることを提案している。
【００２２】
第５手段は、第４の手段を有し、かつ
上記回転板１０は、第１板材２の先端部から突出する代りに、第1板材２の先端部２ｂ及び第２板材６の先端部６ｂの先端部に形成した挿入口２２ａ付きの取付孔２２に対して、回転板の基部に付設した取付け具２４を介して着脱自在に形成している。
【００２３】
本手段では、図９及び図１０に示すように第1板材２及び第２板材６の各先端部に対して、回転板１０の基部を着脱自在に形成することを提案している。すなわち、回転板１０は、図１０（Ａ）又は（Ｄ）のように取付け具２４を介して各板材の一方にのみ取り付けることもできるし、図１０（Ｃ）に示すように取付け具２４を介して両板材の双方に取り付けることもできる。見開きの左右一対の頁のうち左頁の使用頻度が高いときには右側の板材に、右頁の使用頻度が高いときには左側の板材にそれぞれ回転板を付け替えることで使い勝手がよくなる。
【００２４】
第６の手段は、複数の同一形状の作業用シート４の積層体の第１の方向Ｏ１の一方端部に複数の穿孔を穿設して、これら穿孔を挿通する留め具８Ａを設けた冊子において、
任意の２枚の作業用シートの間で留め具８Ａに対して着脱自在な回転板１０を設けるとともに、回転板の先部に作業用プレート１６の裏面１８Ｒを回動自在に連結して、
上記回転板１０を第１の方向へ回転させるときに、上記作業用プレート１６は、上記主回転軸Ａの回りを回動して作業用プレート１６を上方へ向けた状態を保持可能に形成している。
【００２５】
本手段では、図１２の如く任意のページの間に差し込み可能な回転板１０の先部に作業用プレート１６の裏面を回動自在に連結している。これにより作業用シートを重ねた厚さに係わらず回転板及びプレートの構造（作動部材という）を適用することができる。さらに作動部材を別に製作して既存の冊子に使用することもできる。第１方向の回転板１０の巾ｄ３は、同方向の第１板材２又は第２板材６のＤより短い。先の手段で説明したことは、本手段の技術内容に矛盾しない限り援用する。
【発明の効果】
【００２６】
第１の手段に係る発明によれば、第１板材の先端部２ｂから折返し可能に突出した回転板１０の先部に作業用プレート１６を連結したから、冊子の任意のページに対して作業用プレートを利用でき、かつ作業用プレート１６の表面１８Ｆを上に向けた状態で回転板１０を折返しできるから、図３及び図５の如く見開きの２枚のページのいずれにも作業用プレートを近づけることができる。
【００２７】
第２の手段に係る発明によれば、回転板のメインプレート１２の巾ｄｍが、第１板材の巾Ｄ、及び作業用プレート１６の第１端部１６ａと主回転軸との距離ａ１に対して、Ｄ≧ａ１＋ｄｍという条件を満たすから、回転板を折り返した状態で第１板材の基端部２ａの外方へ捲った作業用シートを作業用プレート１６が隠すことがない。
【００２８】
第３の手段に係る発明によれば、第１板材２を透明としたから、作業用プレート１６の表面１８Ｆを下として、第１板材２の上に直接折り返したときに、作業用プレート１６の表面の記載事項を外部から目視できる。
【００２９】
第４の手段に係る発明によれば、上記第１板材２の基端部２ａに第２板材６を取り付けたから、最上位の作業用シートの上に作業用プレートを配置しても、第２板材に覆われて作業用プレートが露出することがなく、例えば作業用プレートに貼着した付箋が脱落することを防止できる。
【００３０】
第５の手段に係る発明によれば、回転板を第1板材２及び第2板材６のいずれかに付け替えることができるので、使い勝手がさらに改善される。
【００３１】
第６の手段に係る発明によれば、回転板及び作業用プレートを任意の場所に適用することができ、使い勝手が高まる。
【図面の簡単な説明】
【００３２】
【図１】本発明の第１実施形態に係る冊子の正面図である。
【図２】図１の冊子の、下方向から見た断面図である。
【図３】図１の冊子の展開状態の正面図である。
【図４】図３の冊子の、下方向から見た断面図である。
【図５】図１の冊子の回転板折返し状態での正面図である。
【図６】図５の冊子の、下方向から見た断面図である。
【図７】図１の冊子の一つの作用の説明図である。
【図８】図１の冊子の他の作用の説明図である。
【図９】本発明の第２実施形態に係る冊子の正面図である。
【図１０】図９の冊子の操作手順の説明図である。
【図１１】本発明の第３実施形態に係る冊子の正面図である。
【図１２】図１１の冊子の、下方向から見た断面図である。
【発明を実施するための形態】
【００３３】
図１から図８は、本発明の第１の実施形態に係る手帳型の冊子を示している。
【００３４】
この冊子の構成のうち、まず従来公知の部分を簡単に説明すると、この冊子は、裏表紙である第１板材２と、ノート用紙である作業用シート４と、表表紙である第２板材６と、バインダ手段８とを有し、第１板材の基端部２ａと、作業用シート４及び第２板材の対応端部とに貫通孔を穿設して、螺旋状のバインダ手段８で結合している。
【００３５】
もっともバインダ手段８の構造は、これに限るものではなく、第１板材と第２板材との間に作業用シート４を挟むように留めることができればよい。第１板材２と第２板材６との各端部を帯状の連結板で連続させ、この連結板にルーズリーフ連結用のバインダ手段を設けてもよい。また、第２板材を省略してもよい。
【００３６】
図示例において、第１板材２及び第２板材６は、図１中の上下方向（第２の方向という）Ｏ２に長い長方形であり、図１中の左右方向（第１の方向という）Ｏ１へ第２板材及び作業用シートをめくることができる。また両板材は、紙以外の素材（プラスチックなど）で形成してもよい。
【００３７】
また第１板材２及び第２板材６は透明材料で形成することができる。
【００３８】
本発明においては、図４に示す如く上記第１板材２の先端部２ｂからフラップ状の回転板１０を第１の方向Ｏ１へ突出し、この回転板の先部に作業用プレート１６の裏面を回動自在に取り付けている。図示例では、回転板を、裏表紙である第１板材から突出しているが、表表紙である第１板材から突出しても構わない。
【００３９】
上記回転板１０は、図４の如く第１板材２の先端部２ｂに沿った折返し線を第２の補助回転軸Ｂ２として、作業用シート４の積層体の側面側へ折曲げ可能なサブプレート１４と、このサブプレートの先端部に沿った折返し線を第１の補助回転軸Ｂ１として、作業用シート４又は第１板材２の上面側へ折曲げ可能なメインプレート１２とで形成されている。
【００４０】
水平状態でのサブプレート１４の第１の方向の巾ｄｓは、作業用シート４の全部の厚さに対応しており、メインプレート１２の第１の方向の巾ｄｍよりも小さい。作業用シート４の積層体の厚みが小さいときには、サブプレートを省略して、第１板材２の先端部を唯一の補助回転軸としてもよい。
【００４１】
本実施形態の回転板１０は、第１部材の端から折返し可能に突出している点で、特許文献１のフラップと共通している。しかしながら、回転板の機能は、第１板材２の先端部２ｂと作業用プレート１６の裏面中間部とをつなぐ連結板であり、単なるフラップではない。
【００４２】
図示例では、図３に示す第１板材２の先端部２ｂ全巾から回転板を突出しており、かつ第２の方向の回転板の巾を一定としているが、これらは発明の必須条件ではない。
【００４３】
上記作業用プレート１６は、その裏面１８Ｒに回転板の先部を接着して、接着箇所を第２の方向Ｏ２に沿った主回動軸Ａとしている。
【００４４】
図示例では、簡単のために回転板１０の先部上面を作業用プレートへの貼着代としている（図６参照）。しかし、この構成は、適宜変更することができる。例えば上記回転板の先部を作業用プレートの第１端部１６ａまで連続させ、一枚のスリップ状のシートの一部を折り重ね、重ねた部分を接着することで作業用プレートと回転板とを一体に形成することもできる。
【００４５】
上記作業用プレート１６の表面１８Ｆは、作業面であり、例えばメモ欄として使用するときには、文字の書き込み可能に形成する。
【００４６】
好適な図示例では、作業用プレート１６は第２の方向Ｏ２に回転板１０と同じ長さを有し、その第２の方向の作業用プレートの全長に亘って回転板１０の先部を貼付している。もっとも作業用プレートの寸法は適宜変更できる。
【００４７】
上記作業用プレート１６は、表面１８Ｆを上側にした状態で第１板材２の先端部２ｂに近い第１端部１６ａ及び第１板材の先端部２ｂから遠い第２端部１６ｂを有する。図４の如く主回転軸Ａから第１端部１６ａまでの距離をａ１、主回転軸Ａから第２端部１６ｂまでの距離をａ２とすると、第１の方向のメインプレート１２の巾ｄｍ及び同方向の第１板材２の巾Ｄに対して、図示例の作業用プレートは、次の数式１の関係を満たしている。
［数式１］Ｄ≧ａ１＋ｄｍ
【００４８】
この数式１のようにしないと、図７（Ｃ）に示す如く回転板１０を折り返したときに、作業用プレートが第１板材の基端部２ａを超えて反対側へ突出する。そうなると、第２板材を閉方向へ回動するときの邪魔となり、また隣（図中左隣）の作業用シート４の一部を隠してしまうおそれもある。
【００４９】
さらに図示例の作業用プレート１６は、ｄｍ≧ａ１を満たすように構成している。そうしないと、図８（Ｃ）のように作業用プレート１６の表面１８Ｆを下にして回転板１０を折り返すことができないからである。
【００５０】
上記構成によれば、作業用プレート１６は、図２に示すように回転板１０を折り返した状態で作業用シート４の適当なページの間に挟むようにして使用される。
【００５１】
この状態から第２板材６及び作業用プレート１６上方の作業用シート４を、左右外方へめくり、さらに図３のように回転板１０を反対側へ開くと、左右の見開きのうち右側の作業用シート４の上面と作業用プレートの表面１8Ｆとが隣接するので、これら両面の間でスケジュール作成などの作業を行うことができる。
【００５２】
次に作業用プレート１６の表面を上側にしたままで回転板を折り返すと、図５に示すように、左右の見開きのうち左側の作業用シート４の上面と作業用プレート１６の表面とが隣接するので、これら両面の間で上記作業を行うことができる。
【００５３】
上記回転板１０及び作業用プレート１６は、薄くかつ板状の形状を保つことが可能な強度を有する素材で形成することが好適である。例えば紙（厚紙など）やプラスチックシートでも形成することができる。
【００５４】
また作業用プレート１６の裏面を、メモなどを書き込むための作業面又は資料などの表示面とするとともに、回転板１０を透明として、例えば後述の図８のように作業用プレートの裏面を裏にして回転板１０の下側にしたときに、作業用プレート１６の裏面が外部から見えるように構成してもよい。
【００５５】
図７及び図８は、第１板材２に対する作業用プレート１６及び回転板１０の動きを簡略に示している。回転板及び作業用シートについては、作図を省略している。
【００５６】
図７は、作業用プレート１６の表面を上側にしたままで回転板１０を折り返す動作の手順を示す。第１板材２に対して主回転軸Ａ及び第１の補助回転軸Ｂ１の回りの回動により、上記の動作が可能となる。この動作は、見開きの各ページの隣接位置へ作業用プレート１６を移動するために用いられる。
【００５７】
図８は、作業用プレート１６の表面１８Ｆを同図（Ｂ）下側へ反転して、回転板１０と第１板材２との間に作動用プレート１6を挟むようにする動作の手順を示す。
【００５８】
図７（Ａ）→（Ｄ）の手順と別に、図８（Ａ）→（Ｄ）の手順を可能とした理由はいろいろとある。
【００５９】
例えば各種メモを記入した複数の付箋を作業用プレート１６の表面１８Ｆに仮止めしておき、この表面を下向きにして第１板材２の上に直接載置すれば、図８（Ｄ）のように冊子を閉じた状態で透明な第１板材２を通してメモを見ることができる。電車などでの移動中に冊子を開くと付箋が人や物に触れて脱落してしまう可能性があるため、冊子を閉じたままでメモを見ることができると大変便利である。
【００６０】
また作動プレート１６を一種のしおりとして所定のページを開くために用いるときには、図８（Ｄ）（又は図２）のように作業用プレートの表面１８Ｆを下にしておく方が有利である。
【００６１】
すなわち図７（Ｄ）の状態から図７（Ａ）の状態へ、第２板材６と、回転板１０及び作業用プレート１６とをそれぞれ展開させるときには、図７（Ｃ）→（Ａ）の段階で作業用プレート１６を把持して作業用プレート１６の水平状態を保持しなければならない。図８（Ｄ）→図８（Ａ）の手順ではそうした操作は必要なく、回転板及び作業用プレートを一体的に回動させれば図８（Ａ）の状態となる。
【００６２】
［実施例］
上記作業用シート４は、見開きの２ページを一つの週間スケジュールとして、図３に実線で示す７つのエリアに分けている。各エリアは、さらに同図に点線で示す所定長さの時間（例えば１時間）に対応した巾を有する帯状のブロックに分割している。その時間相当の長さに対応した巾を有する矩形の付箋をスケジュール表に貼りつけることでスケジュールを張り付けることでスケジュール表を完成するとよい。
【００６３】
すなわち、予定されている用事の所要時間を概算で見積もり、所要時間が単位時間相当の用事は、単位巾とほぼ等しい付箋に記入して、スケジュールの対応箇所に貼りつけ、また所要時間が単位時間の２倍の用事は、単位巾の２倍の付箋に記入して、２つのブロックにまたがって貼りつける。
【００６４】
作業用プレート１６は、上記付箋の仮止めエリアであり、最初に一日の用事を全て付箋に書き出して仮止めし、次にそれら付箋を今日のエリアに重要度の高い順に貼りつけていくと、作業効率がよい。今日のエリアに貼りきれない付箋は、作業用プレートに貼りつけたままにしておく。また一日が終わって消化しきれなかった予定は、作業用プレートに戻す。作業用プレートに残った付箋は次の日に持ち越す。
【００６５】
週の最後の営業日（例えば金曜日）に作業用プレート１６に残った付箋は、そのままにして、次の週に相当する見開きのページの間に作業用プレートをはさむと、用事を次の週に持ち越すことができる。
【００６６】
以下、本発明の他の実施形態について説明する。これらの解説において、第１の実施形態と同じ構成については、説明を省略する。
【００６７】
図９及び図１０は、本発明の第３実施形態に係る冊子を示している。本実施形態では、回転板１０を第１板材２の先端部から突出する代りに、第１板材の先端部２ｂ及び第２板材の先端部６ｂに対してそれぞれ着脱可能に設けている。
【００６８】
具体的には、第１板材２の先端部２ｂ及び第２板材６の先端部６ｂに、外縁側へ連絡する挿入口２２ａを含む取付け孔２２をそれぞれ複数個形成している。また回転板１０の基部に、取付リングなどの取付け具２４を付設し、これらを挿入口を介して取付け孔２２へ嵌合している。第１実施形態の回転板１０の構成中でサブプレート１４は省略している。
【００６９】
また好適な図示例では、回転板１０の基部に、上記取付リングを取り付けるために取付け孔と同様の構造を形成している。もっとも取付具及び回転板の基部の構造は適宜変更することができる。また図示例では、バインダ手段８に第１板材２及び第２板材６の各基端部を留めるために、これら基端部に取付け孔２２と同じ構造の係合孔１１を設けている。
【００７０】
ここで図１０（Ａ）の状態から第２板材６を閉方向へ回転して、第２板材の取付け孔２２に取付け具２４を取り付ける。そうすると閉状態を保持できる。次に冊子を開くときに、取付け具２４から第１板材６の取付け孔２２を分離させる。そうすることで、第１板材２の先端部２ｂから第２板材６の先端部６ｂへ回転板１０を移動させることができる。
【００７１】
好適な実施例として、見開きの２頁で１枚の週間スケジュール表を形成し、週の前半では見開きの左側の頁をよく使うために右側の第１板材２に回転板１０を取り付け、週の後半部では右側を使うために左側の第２板材６に回転板１０を取り付けるようにすることができる。
【００７２】
図１１及び図１２は、本発明の第３実施形態に係る冊子を示している。本実施形態では、裏カバー２Ａと複数の作業用シート４と表カバー６Ａとの一端部（第１の方向Ｏ１側の一端部）に穿孔を穿設し、これらの穿孔を挿通するリング状又はスパイラル状の螺旋状の留め具８Ａで留めている。
【００７３】
また本実施形態では、上記留め具８Ａに対して、回転板１０と作業用プレート１６とからなる作業部材２０を着脱自在に設ける。具体的には従来周知のように回転板の基部側に留め金８Ａを留める係合孔１１を穿設するとともに、回転板の基端側から係合孔１１へ留め金８Ａを通す挿通口１１ａを形成する。
【００７４】
図示例では、回転板１０の第１方向の巾ｄ３を、第１板材２又は第２板材６の第１の方向の巾Ｄの半分程度としている。
【００７５】
本実施形態によれば、留め具８Ａに対する回転板１０の着脱により、任意の見開きのページに対して作動部材２０を適用できる。任意の見開きのページに対しても作業用プレートを共用できるという点では、第１の実施形態と同様の効果を発揮する。
【符号の説明】
【００７６】
２…第１板材  ２ａ…基端部  ２ｂ…先端部  ２Ａ…裏カバー
４…作業用シート  ６…第２板材  ６ａ…基端部  ６ｂ…先端部  ６Ａ…表カバー
８…バインダ手段  ８Ａ…留め具  １０…回転板  １１…係合孔
１１ａ…挿通口  １２…メインプレート  １４…サブプレート
１６…作業用プレート  １６ａ…第１端部  １６ｂ…第２端部
１８Ｆ…表面  １８Ｒ…裏面  ２０…作動部材  
２２…取付け孔  ２２ａ…挿入口    ２４…取付け具
Ａ…主回転軸  Ｂ１…第１の補助回転軸  Ｂ２…第２の補助回転軸  
Ｆ…付箋  Ｏ１…第１の方向  Ｏ２…第２の方向
【図１】
2011255590.tif 000003
【図２】
2011255590.tif 000004
【図３】
2011255590.tif 000005
【図４】
2011255590.tif 000006
【図５】
2011255590.tif 000007
【図６】
2011255590.tif 000008
【図７】
2011255590.tif 000009
【図８】
2011255590.tif 000010
【図９】
2011255590.tif 000011
【図１０】
2011255590.tif 000012
【図１１】
2011255590.tif 000013
【図１２】
2011255590.tif 000014